(57)【要約】【課題】従来の包装箱とほぼ同じ構造を備えていながら、作業性良く組み立てることができ、糊付け部分も比較的少なく、遮光性に優れた包装箱を提供すること。【解決手段】本体箱３と蓋箱５とから構成され、本体箱３は、展開図が谷折れ線を介して接続された内箱部７と外箱部９と、外箱部９に設けられた４つのフラップＦ１〜Ｆ４とにより構成される。内箱部７と外箱部９の展開図が連続的に構成されており、両展開図を巻くようにしながら内箱部７および外箱部９を一連に形成することができる。内箱部７の上端部分には外箱部９の上端部分より上方へ突出した蓋嵌合部１３が形成され、そこに蓋箱５が嵌まるようになっている。また内箱部７を構成するいずれか１つの板の下辺に遮光補助フラップＦ９が接続している。【選択図】    図４
2004182285.tif 000002
【特許請求の範囲】
【請求項１】
本体箱と蓋箱とから構成されており、
前記本体箱は、
連続した５つの板を互いに平行に延びる谷折れ線で谷折りして形成される断面が矩形の内箱部と、
連続した４つの板を互いに平行に延びる谷折れ線で谷折りして前記内箱部の周囲に形成される断面が矩形の外箱部と、
前記外箱部を構成する４つの板の各下辺から谷折れ線を介して接続しており、該谷折れ線で各々内側へ折れ曲がることにより、前記形成された外箱部の底面部を形成する４つのフラップと、
前記内箱部を構成するいずれか１つの板の下辺から谷折れ線を介して接続しており、該谷折れ線で内側へ折れ曲がることにより、前記外箱部における４つのフラップと協働して外箱部の底面部を形成する遮光補助フラップとを備え、
前記内箱部を構成する板と前記外箱部を構成する板とが、前記本体箱の展開図において谷折れ線を介して接続された関係にあり、
前記形成された内箱部の上端部分は前記形成された外箱部の上端部分より上方へ突出することにより蓋嵌合部が形成され、
前記内箱部のおもて面と前記外箱部の裏面との少なくとも一部および前記遮光補助フラップ及び前記外箱部を構成する板に接続される４つのフラップの一部の間は接着されることで前記形成された外箱部、形成された内箱部および外箱部の底面の形状を維持しており、
前記蓋箱は、
連続した５つの板を互いに平行に延びる谷折れ線で谷折りし、展開図において端に位置する板同士を糊付けすることにより形成される断面が矩形の蓋本体部と、
前記５つの板のうち、連続する４つの板の各上辺から谷折れ線を介して接続しており、該谷折れ線で各々内側へ折れ曲がることにより前記蓋箱の天面部を形成する４つのフラップとを備え、
前記形成された蓋箱は、前記形成された内箱部における蓋嵌合部の外側に隙間なく嵌まり込むようになっていることを特徴とする包装箱。
【請求項２】
前記遮光補助フラップは、前記外箱部を構成する板と隣接する前記内箱部を構成する板の隣に位置する前記内箱部を構成する板の下辺から谷折れ線を介して接続していることを特徴とする請求項１の包装箱。
【請求項３】
前記遮光補助フラップは、前記外箱部を構成する板と隣接する前記内箱部を構成する板から数えて３番目に位置する内箱部を構成する板の下辺から谷折れ線を介して接続していることを特徴とする請求項１の包装箱。
【請求項４】
前記本体箱において、前記遮光補助フラップは、前記外箱部を構成する板に接続される４つのフラップより上側に位置するように折り曲げられていることを特徴とする請求項１〜３のいずれかの包装箱。
【請求項５】
前記本体箱の展開図のうち、前記外箱部を構成する板および該外箱部を構成する板に最も近い位置の前記内箱部を構成する板の上辺部分の形状と、前記蓋箱の展開図のうち前記５つの板の下辺部分の形状とが一致することを特徴とする請求項１〜４のいずれかの包装箱。
【請求項６】
本体箱と蓋箱とから構成されており、
前記本体箱は、
第１側板と、
第１谷折れ線を挟んで前記第１側板の側辺と隣接する第１前板と、
第２谷折れ線を挟んで前記第１前板の側辺と隣接する第２側板と、
第３谷折れ線を挟んで前記第２側板の側辺と隣接する第１後板と、
第４谷折れ線を挟んで前記第１後板の側辺と隣接する第３側板と、
第５谷折れ線を挟んで前記第３側板の側辺と隣接する第２前板と、
第６谷折れ線を挟んで前記第２前板の側辺と隣接する第４側板と、
第７谷折れ線を挟んで前記第４側板の側辺と隣接する第２後板と、
第８谷折れ線を挟んで前記第２後板の側辺と隣接する第５側板と、
第９谷折れ線を挟んで前記第２前板の下辺と隣接する第１フラップと、
第１０谷折れ線を挟んで前記第４側板の下辺と隣接する第２フラップと、
第１１谷折れ線を挟んで前記第２後板の下辺と隣接する第３フラップと、
第１２谷折れ線を挟んで前記第５側板の下辺と隣接する第４フラップと、
第２１谷折れ線を挟んで前記第１後板の下辺と隣接する遮光補助フラップとを備え、
前記第３側板が、第１側板の外側に隣接するように第１側板と対応する幅寸法を有し、
前記第２前板が、第１前板の外側に隣接するように第１前板と対応する幅寸法を有し、
前記第４側板が、第２側板の外側に隣接するように第２側板と対応する幅寸法を有し、
前記第２後板が、第１後板の外側に隣接するように第１後板と対応する幅寸法を有し、
前記第５側板が第３側板と接着できる程度の幅寸法を有し、
前記第１側板、第１前板、第２側板、第１後板および第３側板には、前記第２前板、第４側板、第２後板および第５側板より上方へ長く延びた延長部が形成されており、
前記各板が第１〜第８谷折れ線、第２１、第１０、第１２、第９および第１１の各谷折れ線の順で９０度折り畳まれることにより、前記第１側板、第１前板、第２側板、第１後板および第３側板により内箱部が形成され、前記第２前板、第４側板、第２後板および第５側板により外箱部が形成され、遮光補助フラップ及び第１〜第４フラップにより底面部が形成され、前記延長部によって前記内箱部より上方へ突出する蓋嵌合部が形成され、
前記第１側板のおもて面と前記第３側板の裏面との間、前記第１前板のおもて面と第２前板の裏面との間、前記第２側板のおもて面と第４側板の裏面との間、および前記第１後板のおもて面と第２後板の裏面との間のうち少なくとも１つの間と、前記第３側板のおもて面と第５側板の裏面との間とが接着され、また前記遮光補助フラップ及び第１〜第４フラップが折り畳まれた状態で固定されるように接着されており、
前記蓋箱は、
第６側板と、
第１３谷折れ線を挟んで前記第６側板の側辺と隣接する第３前板と、
第１４谷折れ線を挟んで前記第３前板の側辺と隣接する第７側板と、
第１５谷折れ線を挟んで前記第７側板の側辺と隣接する第３後板と、
第１６谷折れ線を挟んで前記第３後板の側辺と隣接する第８側板と、
第１７谷折れ線を挟んで前記第３前板の上辺と隣接する第５フラップと、
第１８谷折れ線を挟んで前記第６側板の上辺と隣接する第６フラップと、
第１９谷折れ線を挟んで前記第３後板の上辺と隣接する第７フラップと、
第２０谷折れ線を挟んで前記第７側板の上辺と隣接する第８フラップとを備え、
前記第６側板が第８側板と接着できる程度の幅寸法を有し、
前記第３前板と第１前板とが対応する幅寸法を有し、
前記第７側板と第２側板とが対応する幅寸法を有し、
前記第３後板と第１後板とが対応する幅寸法を有し、
前記第８側板と第３側板とが対応する幅寸法を有し、
第１３〜第１６谷折れ線、第１８、第２０、第１７および第１９の各谷折れ線の順で９０度折り畳まれ、前記第６側板と第８側板との間が接着され、前記第５〜第８フラップが折り畳まれた状態で固定されるように接着されていることを特徴とする包装箱。
【請求項７】
本体箱と蓋箱とから構成されており、
前記本体箱は、
第１側板と、
第１谷折れ線を挟んで前記第１側板の側辺と隣接する第１前板と、
第２谷折れ線を挟んで前記第１前板の側辺と隣接する第２側板と、
第３谷折れ線を挟んで前記第２側板の側辺と隣接する第１後板と、
第４谷折れ線を挟んで前記第１後板の側辺と隣接する第３側板と、
第５谷折れ線を挟んで前記第３側板の側辺と隣接する第２前板と、
第６谷折れ線を挟んで前記第２前板の側辺と隣接する第４側板と、
第７谷折れ線を挟んで前記第４側板の側辺と隣接する第２後板と、
第８谷折れ線を挟んで前記第２後板の側辺と隣接する第５側板と、
第９谷折れ線を挟んで前記第２前板の下辺と隣接する第１フラップと、
第１０谷折れ線を挟んで前記第４側板の下辺と隣接する第２フラップと、
第１１谷折れ線を挟んで前記第２後板の下辺と隣接する第３フラップと、
第１２谷折れ線を挟んで前記第５側板の下辺と隣接する第４フラップと、
第２２谷折れ線を挟んで前記第２側板の下辺と隣接する遮光補助フラップとを備え、
前記第３側板が、第１側板の外側に隣接するように第１側板と対応する幅寸法を有し、
前記第２前板が、第１前板の外側に隣接するように第１前板と対応する幅寸法を有し、
前記第４側板が、第２側板の外側に隣接するように第２側板と対応する幅寸法を有し、
前記第２後板が、第１後板の外側に隣接するように第１後板と対応する幅寸法を有し、
前記第５側板が第３側板と接着できる程度の幅寸法を有し、
前記第１側板、第１前板、第２側板、第１後板および第３側板には、前記第２前板、第４側板、第２後板および第５側板より上方へ長く延びた延長部が形成されており、
前記各板が第１〜第８谷折れ線、第２２、第１０、第１２、第９および第１１の各谷折れ線の順で９０度折り畳まれることにより、前記第１側板、第１前板、第２側板、第１後板および第３側板により内箱部が形成され、前記第２前板、第４側板、第２後板および第５側板により外箱部が形成され、遮光補助フラップ及び第１〜第４フラップにより底面部が形成され、前記延長部によって前記内箱部より上方へ突出する蓋嵌合部が形成され、
前記第１側板のおもて面と前記第３側板の裏面との間、前記第１前板のおもて面と第２前板の裏面との間、前記第２側板のおもて面と第４側板の裏面との間、および前記第１後板のおもて面と第２後板の裏面との間のうち少なくとも１つの間と、前記第３側板のおもて面と第５側板の裏面との間とが接着され、また前記遮光補助フラップ及び第１〜第４フラップが折り畳まれた状態で固定されるように接着されており、
前記蓋箱は、
第６側板と、
第１３谷折れ線を挟んで前記第６側板の側辺と隣接する第３前板と、
第１４谷折れ線を挟んで前記第３前板の側辺と隣接する第７側板と、
第１５谷折れ線を挟んで前記第７側板の側辺と隣接する第３後板と、
第１６谷折れ線を挟んで前記第３後板の側辺と隣接する第８側板と、
第１７谷折れ線を挟んで前記第３前板の上辺と隣接する第５フラップと、
第１８谷折れ線を挟んで前記第６側板の上辺と隣接する第６フラップと、
第１９谷折れ線を挟んで前記第３後板の上辺と隣接する第７フラップと、
第２０谷折れ線を挟んで前記第７側板の上辺と隣接する第８フラップとを備え、
前記第６側板が第８側板と接着できる程度の幅寸法を有し、
前記第３前板と第１前板とが対応する幅寸法を有し、
前記第７側板と第２側板とが対応する幅寸法を有し、
前記第３後板と第１後板とが対応する幅寸法を有し、
前記第８側板と第３側板とが対応する幅寸法を有し、
第１３〜第１６谷折れ線、第１８、第２０、第１７および第１９の各谷折れ線の順で９０度折り畳まれ、前記第６側板と第８側板との間が接着され、前記第５〜第８フラップが折り畳まれた状態で固定されるように接着されていることを特徴とする包装箱。
【請求項８】
前記本体箱の展開図のうち前記第３側板、第２前板、第４側板、第２後板および第５側板の上辺部分の形状が、前記蓋箱の展開図のうち前記第６側板、第３前板、第７側板、第３後板および第８側板の下辺部分の形状と一致することを特徴とする請求項６または７の包装箱。
【請求項９】
前記第１前板の上辺および／または第１後板の上辺は斜めに形成されていることを特徴とする請求項６〜８のいずれかの包装箱。
【発明の詳細な説明】
【０００１】
【発明の属する技術分野】
本発明は、例えば感光性フィルムなどの感光材料に適した包装箱に関するものである。
【０００２】
【従来の技術】
一般に、感光性フィルムなどの感光材料は、一定の枚数を包装フィルムで包装したうえで包装箱に入れて運搬・保存される。このため、感光材料用の包装箱は、感光材料を遮光性を維持したまま安定に収納しうるものであることが要求される。このような感光材料用の包装箱の一例として、特許文献１に開示された遮光箱の他、図１３に示すような感光性フィルム用の包装箱が挙げられる。
【０００３】
図１３において、従来の包装箱１０１は、遮光性を高めるために、内箱１０３と、その周囲を覆うように別部材である外箱１０５と、蓋部材１０７との３つの部材から構成されている。
このような従来の包装箱１０１は、３つの部材の各々を原紙から切り抜き、それぞれを箱または蓋形状に組立て、さらに外箱１０５を内箱１０３に組み付けることにより組立てられる。このように比較的多くの工程を経るために、組立てには手間と時間を要していた。また内箱１０３、外箱１０５および蓋部材１０７の各々を組み立てる際には多くの糊付け箇所１０９があり、糊付け作業の人件費だけでなく、糊を多量に使用する分も包装箱１０１のコストアップにつながっていた。
【０００４】
【特許文献１】特開平６−１８６６７９号公報の図面他
【０００５】
【発明が解決しようとする課題】
そこで本発明は、従来の包装箱とほぼ同じ構造を備えていながら、作業性良く組み立てることができ、糊付け部分も比較的少なく遮光性に優れた包装箱を提供することを目的とした。
【０００６】
【課題を解決するための手段】
本発明者らは鋭意検討を重ねた結果、特定の構造を有する包装箱であれば上記目的を達成し得ることを見出し、本発明を提供するに至った。
【０００７】
すなわち本発明の包装箱は、本体箱と蓋箱とから構成されており、
上記本体箱は、連続した５つの板を互いに平行に延びる谷折れ線で谷折りして形成される断面が矩形の内箱部と、連続した４つの板を互いに平行に延びる谷折れ線で谷折りして上記内箱部の周囲に形成される断面が矩形の外箱部と、上記外箱部を構成する４つの板の各下辺から谷折れ線を介して接続しており、該谷折れ線で各々内側へ折れ曲がることにより、上記形成された外箱部の底面部を形成する４つのフラップと、前記内箱部を構成するいずれか１つの板の下辺から谷折れ線を介して接続しており、該谷折れ線で内側へ折れ曲がることにより、前記外箱部における４つのフラップと協働して外箱部の底面部を形成する遮光補助フラップとを備え、上記内箱部を構成する板と上記外箱部を構成する板とが、上記本体箱の展開図において谷折れ線を介して接続された関係にあり、上記形成された内箱部の上端部分は上記形成された外箱部の上端部分より上方へ突出することにより蓋嵌合部が形成され、上記内箱部のおもて面と上記外箱部の裏面との少なくとも一部および上記遮光補助フラップ及び前記外箱部を構成する板に接続される４つのフラップの一部の間は接着されることで上記形成された外箱部、形成された内箱部および外箱部の底面の形状を維持しており、
上記蓋箱は、連続した５つの板を互いに平行に延びる谷折れ線で谷折りし、展開図において端に位置する板同士を糊付けすることにより形成される断面が矩形の蓋本体部と、上記５つの板のうち、連続する４つの板の各上辺から谷折れ線を介して接続しており、該谷折れ線で各々内側へ折れ曲がることにより、上記蓋箱の天面部を形成する４つのフラップとを備え、上記形成された蓋箱は、上記形成された内箱部における蓋嵌合部の外側に隙間なく嵌まり込むようになっていることを特徴とするものである。
【０００８】
上記遮光補助フラップは、上記外箱部を構成する板と隣接する上記内箱部を構成する板の隣に位置する上記内箱部を構成する板の下辺から谷折れ線を介して接続していてもよい。
上記遮光補助フラップは、上記外箱部を構成する板と隣接する上記内箱部を構成する板から数えて３番目に位置する内箱部を構成する板の下辺から谷折れ線を介して接続していてもよい。
上記本体箱において、上記遮光補助フラップは、上記外箱部を構成する板に接続される４つのフラップより上側に位置するように折り曲げることができる。
上記本体箱の展開図のうち、上記外箱部を構成する板および該外箱部を構成する板に最も近い位置の上記内箱部を構成する板の上辺部分の形状と、上記蓋箱の展開図のうち上記５つの板の下辺部分の形状とが一致していてもよい。
【０００９】
また本発明の他の包装箱は、本体箱と蓋箱とから構成されており、
上記本体箱は、第１側板と、第１谷折れ線を挟んで上記第１側板の側辺と隣接する第１前板と、第２谷折れ線を挟んで上記第１前板の側辺と隣接する第２側板と、第３谷折れ線を挟んで上記第２側板の側辺と隣接する第１後板と、第４谷折れ線を挟んで上記第１後板の側辺と隣接する第３側板と、第５谷折れ線を挟んで上記第３側板の側辺と隣接する第２前板と、第６谷折れ線を挟んで上記第２前板の側辺と隣接する第４側板と、第７谷折れ線を挟んで上記第４側板の側辺と隣接する第２後板と、第８谷折れ線を挟んで上記第２後板の側辺と隣接する第５側板と、第９谷折れ線を挟んで上記第２前板の下辺と隣接する第１フラップと、第１０谷折れ線を挟んで上記第４側板の下辺と隣接する第２フラップと、第１１谷折れ線を挟んで上記第２後板の下辺と隣接する第３フラップと、第１２谷折れ線を挟んで上記第５側板の下辺と隣接する第４フラップと、第２１谷折れ線を挟んで上記第１後板の下辺と隣接する遮光補助フラップとを備え、上記第３側板が、第１側板の外側に隣接するように第１側板と対応する幅寸法を有し、上記第２前板が、第１前板の外側に隣接するように第１前板と対応する幅寸法を有し、上記第４側板が、第２側板の外側に隣接するように第２側板と対応する幅寸法を有し、上記第２後板が、第１後板の外側に隣接するように第１後板と対応する幅寸法を有し、上記第５側板が第３側板と接着できる程度の幅寸法を有し、上記第１側板、第１前板、第２側板、第１後板および第３側板には、上記第２前板、第４側板、第２後板および第５側板より上方へ長く延びた延長部が形成されており、上記各板が第１〜第８谷折れ線、第２１、第１０、第１２、第９および第１１の各谷折れ線の順で９０度折り畳まれることにより、上記第１側板、第１前板、第２側板、第１後板および第３側板により内箱部が形成され、上記第２前板、第４側板、第２後板および第５側板により外箱部が形成され、遮光補助フラップ及び第１〜第４フラップにより底面部が形成され、上記延長部によって上記内箱部より上方へ突出する蓋嵌合部が形成され、上記第１側板のおもて面と上記第３側板の裏面との間、上記第１前板のおもて面と第２前板の裏面との間、上記第２側板のおもて面と第４側板の裏面との間、および上記第１後板のおもて面と第２後板の裏面との間のうち少なくとも１つの間と、上記第３側板のおもて面と第５側板の裏面との間とが接着され、また上記遮光補助フラップ及び第１〜第４フラップが折り畳まれた状態で固定されるように接着されており、
上記蓋箱は、第６側板と、第１３谷折れ線を挟んで上記第６側板の側辺と隣接する第３前板と、第１４谷折れ線を挟んで上記第３前板の側辺と隣接する第７側板と、第１５谷折れ線を挟んで上記第７側板の側辺と隣接する第３後板と、第１６谷折れ線を挟んで上記第３後板の側辺と隣接する第８側板と、第１７谷折れ線を挟んで上記第３前板の上辺と隣接する第５フラップと、第１８谷折れ線を挟んで上記第６側板の上辺と隣接する第６フラップと、第１９谷折れ線を挟んで上記第３後板の上辺と隣接する第７フラップと、第２０谷折れ線を挟んで上記第７側板の上辺と隣接する第８フラップとを備え、上記第６側板が第８側板と接着できる程度の幅寸法を有し、上記第３前板と第１前板とが対応する幅寸法を有し、上記第７側板と第２側板とが対応する幅寸法を有し、上記第３後板と第１後板とが対応する幅寸法を有し、上記第８側板と第３側板とが対応する幅寸法を有し、第１３〜第１６谷折れ線、第１８、第２０、第１７および第１９の各谷折れ線の順で９０度折り畳まれ、上記第６側板と第８側板との間が接着され、上記第５〜第８フラップが折り畳まれた状態で固定されるように接着されていることを特徴とするものである。
【００１０】
また本発明のさらに他の包装箱は、本体箱と蓋箱とから構成されており、
前記本体箱は、第１側板と、第１谷折れ線を挟んで前記第１側板の側辺と隣接する第１前板と、第２谷折れ線を挟んで前記第１前板の側辺と隣接する第２側板と、第３谷折れ線を挟んで前記第２側板の側辺と隣接する第１後板と、第４谷折れ線を挟んで前記第１後板の側辺と隣接する第３側板と、第５谷折れ線を挟んで前記第３側板の側辺と隣接する第２前板と、第６谷折れ線を挟んで前記第２前板の側辺と隣接する第４側板と、第７谷折れ線を挟んで前記第４側板の側辺と隣接する第２後板と、第８谷折れ線を挟んで前記第２後板の側辺と隣接する第５側板と、第９谷折れ線を挟んで前記第２前板の下辺と隣接する第１フラップと、第１０谷折れ線を挟んで前記第４側板の下辺と隣接する第２フラップと、第１１谷折れ線を挟んで前記第２後板の下辺と隣接する第３フラップと、第１２谷折れ線を挟んで前記第５側板の下辺と隣接する第４フラップと、第２２谷折れ線を挟んで前記第２側板の下辺と隣接する遮光補助フラップとを備え、前記第３側板が、第１側板の外側に隣接するように第１側板と対応する幅寸法を有し、前記第２前板が、第１前板の外側に隣接するように第１前板と対応する幅寸法を有し、前記第４側板が、第２側板の外側に隣接するように第２側板と対応する幅寸法を有し、前記第２後板が、第１後板の外側に隣接するように第１後板と対応する幅寸法を有し、前記第５側板が第３側板と接着できる程度の幅寸法を有し、前記第１側板、第１前板、第２側板、第１後板および第３側板には、前記第２前板、第４側板、第２後板および第５側板より上方へ長く延びた延長部が形成されており、前記各板が第１〜第８谷折れ線、第２２、第１０、第１２、第９および第１１の各谷折れ線の順で９０度折り畳まれることにより、前記第１側板、第１前板、第２側板、第１後板および第３側板により内箱部が形成され、前記第２前板、第４側板、第２後板および第５側板により外箱部が形成され、遮光補助フラップ及び第１〜第４フラップにより底面部が形成され、前記延長部によって前記内箱部より上方へ突出する蓋嵌合部が形成され、前記第１側板のおもて面と前記第３側板の裏面との間、前記第１前板のおもて面と第２前板の裏面との間、前記第２側板のおもて面と第４側板の裏面との間、および前記第１後板のおもて面と第２後板の裏面との間のうち少なくとも１つの間と、前記第３側板のおもて面と第５側板の裏面との間とが接着され、また前記遮光補助フラップ及び第１〜第４フラップが折り畳まれた状態で固定されるように接着されており、
前記蓋箱は、第６側板と、第１３谷折れ線を挟んで前記第６側板の側辺と隣接する第３前板と、第１４谷折れ線を挟んで前記第３前板の側辺と隣接する第７側板と、第１５谷折れ線を挟んで前記第７側板の側辺と隣接する第３後板と、第１６谷折れ線を挟んで前記第３後板の側辺と隣接する第８側板と、第１７谷折れ線を挟んで前記第３前板の上辺と隣接する第５フラップと、第１８谷折れ線を挟んで前記第６側板の上辺と隣接する第６フラップと、第１９谷折れ線を挟んで前記第３後板の上辺と隣接する第７フラップと、第２０谷折れ線を挟んで前記第７側板の上辺と隣接する第８フラップとを備え、前記第６側板が第８側板と接着できる程度の幅寸法を有し、前記第３前板と第１前板とが対応する幅寸法を有し、前記第７側板と第２側板とが対応する幅寸法を有し、前記第３後板と第１後板とが対応する幅寸法を有し、前記第８側板と第３側板とが対応する幅寸法を有し、第１３〜第１６谷折れ線、第１８、第２０、第１７および第１９の各谷折れ線の順で９０度折り畳まれ、前記第６側板と第８側板との間が接着され、前記第５〜第８フラップが折り畳まれた状態で固定されるように接着されていることを特徴とするものである。
【００１１】
上記本体箱の展開図のうち上記第３側板、第２前板、第４側板、第２後板および第５側板の上辺部分の形状が、上記蓋箱の展開図のうち上記第６側板、第３前板、第７側板、第３後板および第８側板の下辺部分の形状と一致していてもよい。
また上記第１前板の上辺および／または第１後板の上辺は斜めに形成されていてもよい。
【００１２】
【発明の実施の形態】
以下において、本発明の包装箱について詳細に説明する。なお、本明細書において「〜」とはその前後に記載される数値を下限値および上限値として含む意味で使用される。
【００１３】
以下、本発明の実施の形態を図面に基づいて説明する。図１は本発明に係る包装箱１を示し、この包装箱１は写真フィルムやレントゲンフィルムなどの感光材Ｆを包装するために遮光性を重視して形成されるものである。
包装箱１は本体箱３と蓋箱５とを備えており、本体箱３は、上端側が開放した断面が矩形の箱状であり、内箱部７と、該内箱部７の外側を囲む外箱部９と、底面部１１とから構成されている。内箱部７の上側は外箱部９の上辺から突出しており、この突出した部分が蓋嵌合部１３となっている。
一方蓋箱５は、下端側が開放した断面が矩形の箱状であり、蓋本体部１５と、天面部１７とから構成されており、本体箱３の蓋嵌合部１３の外側に隙間なく嵌まり込むことができる形状を有する。
【００１４】
以下、このような包装箱１の展開図に関して説明するとともに、包装箱１の形成工程について説明する。図４は本体箱３および蓋箱５の展開図１９、２３を示す。なお、本発明では図４の紙面側が本体箱３および蓋箱５の内面側となり、図４の紙面の裏面側が本体箱３および蓋箱５の外面側となる。本明細書において各板のおもて面とは、本体箱３および蓋箱５を組み立てた時に外側を向く面を意味し、各板の裏面とは、本体箱３および蓋箱５を組み立てた時に内側を向く面を意味する。また図４における破線は全て谷折れ線を意味する。
【００１５】
本体箱３の展開図１９において、符号Ｃ１は第１側板であり、第１側板Ｃ１の右側へ順に第１前板Ａ１、第２側板Ｃ２、第１後板Ｂ１、第３側板Ｃ３、第２前板Ａ２、第４側板Ｃ４、第２後板Ｂ２および第５側板Ｃ５が連続して形成されている。また各板の間には第１乃至第８谷折れ線Ｌ１〜Ｌ８が形成されている。
【００１６】
第３側板Ｃ３は、第１側板Ｃ１の外側に隣接できるように第１側板Ｃ１と対応する幅寸法を有し、第２前板Ａ２は、第１前板Ａ１の外側に隣接できるように第１前板Ａ１と対応する幅寸法を有し、第４側板Ｃ４は、第２側板Ｃ２の外側に隣接できるように第２側板Ｃ２と対応する幅寸法を有し、第２後板Ｂ２は、第１後板Ｂ１の外側に隣接できるように第１後板Ｂ１と対応する幅寸法を有する。また第５側板Ｃ５は第３側板Ｃ３の外側に隣接できるように第３側板Ｃ３と対応する幅寸法を有するが、第５側板Ｃ５は第３側板Ｃ３に接着して固定できる程度の幅寸法を有していればよい。
【００１７】
第１側板Ｃ１、第１前板Ａ１、第２側板Ｃ２、第１後板Ｂ１および第３側板Ｃ３は、これらを第１乃至第４谷折れ線Ｌ１〜Ｌ４で９０度ずつ谷折りすることにより内箱部７を形成する構成要素であり、また第２前板Ａ２、第４側板Ｃ４、第２後板Ｂ２および第５側板Ｃ５は、これらを第５乃至第８谷折れ線Ｌ５〜Ｌ８で９０度ずつ谷折りすることにより外箱部９を形成する構成要素である。
【００１８】
内箱部７を形成する構成要素、即ち第１側板Ｃ１、第１前板Ａ１、第２側板Ｃ２、第１後板Ｂ１および第３側板Ｃ３の上方には、外箱部９を形成する構成要素である第２前板Ａ２、第４側板Ｃ４、第２後板Ｂ２および第５側板Ｃ５の上辺（これらの上辺は同じ高さである）よりも上方へ長く延びた延長部２１が形成されており、該延長部２１は内箱部７を形成する構成要素が組み立てられたとき、蓋嵌合部１３を形成するようになる。
【００１９】
図４に示すように、第１前板Ａ１の上辺は左下がりに傾斜しており、第１後板Ｂ１の上辺は右下がりに傾斜している。これにより図１に示すように本体箱３が組み立てられたとき、収納物である感光材Ｆの上端部分１８の側面に指を掛けやすくなるので収納物を取り出しやすくなっている。なお、第１前板Ａ１の上辺と、第１後板Ｂ１の上辺のいずれか一方だけを斜めに傾斜するように形成しても構わない。また図４に示すように、第３側板Ｃ３の上辺は右下がりに傾斜しており、これにより対応する蓋箱５の同様な構成との共同により、蓋箱５を本体箱３の蓋嵌合部１３に案内しやすくなっている。
【００２０】
外箱部９を形成する構成要素である第２前板Ａ２、第４側板Ｃ４、第２後板Ｂ２および第５側板Ｃ５の下辺には、それぞれ第９〜第１２谷折れ線Ｌ９〜Ｌ１２を挟んで第１〜第４フラップＦ１〜Ｆ４が形成されている。また内箱部７を形成する構成要素の１つである第１後板Ｂ１の下辺には、第２１谷折れ線Ｌ２１を挟んで遮光補助フラップＦ９が形成されている。
【００２１】
一方図４中、蓋箱５の展開図２３おいて、符号Ｃ６は第６側板であり、第６側板Ｃ６の右側へ順に第３前板Ａ３、第７側板Ｃ７、第３後板Ｂ３および第８側板Ｃ８が連続して形成されている。また各板の間には第１３乃至第１６谷折れ線Ｌ１３〜Ｌ１６が形成されている。
【００２２】
第３前板Ａ３と第１前板Ａ１の幅寸法、第７側板Ｃ７と第２側板Ｃ２の幅寸法、第３後板Ｂ３と第１後板Ｂ１の幅寸法、第８側板Ｃ８と第３側板Ｃ３の幅寸法はそれぞれ対応する幅寸法を有する。第６側板Ｃ６は第３側板Ｃ３とほぼ対応する幅寸法を有するが、第６側板Ｃ６は第８側板Ｃ８に接着して固定できる程度の幅寸法を有すればよい。
【００２３】
蓋箱５の展開図２３において、第３前板Ａ３、第７側板Ｃ７、第３後板Ｂ３および第８側板Ｃ８の上辺には、それぞれ第５〜第８フラップＦ５〜Ｆ８が第１７〜第２０谷折れ線Ｌ１７〜Ｌ２０を挟んで形成されている。
【００２４】
上述したように蓋箱５を本体箱３の蓋嵌合部１３に案内しやすくするために、蓋箱５における第６側板Ｃ６の下辺は、本体箱３における第３側板Ｃ３の上辺と対応するように斜めに形成されている。
【００２５】
図４に示すように、本実施の形態では、本体箱３の展開図１９のうち第３側板Ｃ３、第２前板Ａ２、第４側板Ｃ４、第２後板Ｂ２および第５側板Ｃ５の上辺部分の形状が、蓋箱５の展開図２３のうち第６側板Ｃ６、第３前板Ａ３、第７側板Ｃ７、第３後板Ｂ３および第８側板Ｃ８の下辺部分の形状と一致する。このような構成により、本体箱３の展開図１９と蓋箱５の展開図２３とを図２に示すように一枚の紙板２４から形成する際に、本体箱３の展開図１９と蓋箱５の展開図２３との境界部分に一本の切れ目を入れるだけで両展開図１９、２３の対応する部分を一気に形成することができる。また蓋箱５の展開図２３は本体箱３の展開図１９から一本の切れ目によって切り離された部分であるから、組み立てられた本体箱３と蓋箱５とを組み合わせるときに、例えば第３側板Ｃ３の斜めの上辺と第６側板Ｃ６の斜めの下辺のように、切り離された部分同士が正確に整合することができるため、隙間のない遮光性に優れた包装箱を組み立てることができる。
【００２６】
次に本発明の包装箱１の形成工程について説明する。まず図２に示すように一枚の紙板２４から上述したような本体箱３用の展開図１９と蓋箱５用の展開図２３とを破線２７に沿って型抜きし、図３に示すような本体箱３用の展開図１９と蓋箱５用の展開図２３とが破線２９で接合されている型を作成する。破線２９は展開図１９と展開図２３とが互いに隣接する辺に相当する。なお図３では、本体箱３用の展開図１９と蓋箱５用の展開図２３との関係を明瞭にするために、名目上、展開図１９と展開図２３とがつながった状態を示しているが、一枚の紙板２４から型抜きする際に、展開図１９と展開図２３とを破線２９の位置で同時に型抜きすることが好ましい。
【００２７】
展開図１９から本体箱３を形成するには、図４および図５に示すように第１〜第８谷折れ線Ｌ１〜Ｌ８を順に９０度ずつ谷折りに折っていく。この過程で第１側板Ｃ１のおもて面と第３側板Ｃ３の裏面との間、および第３側板Ｃ３のおもて面と第５側板Ｃ５の裏面との間に接着剤２５を塗布して糊付けし、これにより本体箱３が完成する。なお糊付けは、第１側板Ｃ１のおもて面と第３側板Ｃ３の裏面との間、第１前板Ａ１のおもて面と第２前板Ａ２の裏面との間、第２側板Ｃ２のおもて面と第４側板Ｃ４の裏面との間、および第１後板Ｂ１のおもて面と第２後板Ｂ２の裏面との間のうち少なくとも１つの間で行うことができ、第３側板Ｃ３のおもて面と第５側板Ｃ５の裏面との間での糊付けは必須である。
【００２８】
次に図６（ａ）に示すように、遮光補助フラップＦ９を第２１谷折れ線Ｌ２１で９０度折り曲げた後、第２フラップＦ２、第４フラップＦ４をそれぞれ第１０、第１２谷折れ線Ｌ１０、Ｌ１２で９０度折り曲げ、さらに第１フラップＦ１、第３フラップＦ３をそれぞれ第９、第１１谷折れ線Ｌ９、Ｌ１１で９０度折り曲げて、これらフラップの裏面とおもて面との間に適宜接着剤２５を塗布することによりフラップの折り曲げ状態を固定する（図６（ｂ）参照）。このようにして作成された本体箱３は、図１０に示すように内箱部７から外箱部９にかけて一枚の板紙を一連に巻いたような断面形状を有する。
【００２９】
また図４に示す展開図２３から蓋箱５を形成するには、図７に示すように第１３〜第１６谷折れ線Ｌ１３〜Ｌ１６を順に９０度ずつ谷折りに折っていき、最後に第６側板Ｃ６のおもて面と第８側板Ｃ８の裏面とを接着剤２５で糊付けする。また図８（ａ）に示すように、第６フラップＦ６、第８フラップＦ８をそれぞれ第１８、第２０谷折れ線Ｌ１８、Ｌ２０で９０度折り曲げ、さらに第５フラップＦ５、第７フラップＦ７をそれぞれ第１７、第１９谷折れ線Ｌ１７、Ｌ１９で９０度折り曲げて、これらフラップの裏面とおもて面との間に適宜接着剤２５を塗布することによりフラップの折り曲げ状態を固定する。これにより蓋箱５が完成する（図８（ｂ）参照）。
出来上がった本体箱３と蓋箱５とを図９に示すように組み合わせれば、本発明の包装箱１が完成する。
【００３０】
以上、本発明の包装箱の一実施の形態について説明したが、本発明の包装箱はこのような実施形態に限定されるものではなく、上記実施形態において遮光補助フラップＦ９の設けられている位置に代えて、例えば図１２に示すように第２側板Ｃ２の下辺と隣接する位置に第２２谷折れ線Ｌ２２を挟んで設けるようにしてもよい。この他にも、図示しないが、遮光補助フラップＦ９を第１側板Ｃ１の下辺と隣接する位置、第１前板Ａ１の下辺と隣接する位置または第３側板Ｃ３の下辺と隣接する位置に谷折れ線を挟んで設けるようにしてもよい。即ち遮光補助フラップＦ９は、内箱部７を構成するいずれか１つの板の下辺から谷折れ線を介して接続して設けるようにすることができる。  本発明によれば、本体箱を構成する内箱部と外箱部の展開図が連続的に構成されているから、展開図を巻くようにしながら内箱部および外箱部を一連に形成することができる。従って、従来内箱と外箱とを別々に作成していた場合に比べて、短時間で且つより簡単な作業により本体箱を形成することができる。また従来のように内箱と外箱とを別々に作成していた場合に比べて、糊付けをする箇所が少なくて済み、その分作業性が向上するとともに、使用する接着剤が少ない分だけ安価に包装箱を作成することができる。
【００３１】
また本体箱の展開図のうち、第３側板、第２前板、第４側板、第２後板および第５側板の上辺部分の形状が、蓋箱の展開図のうち第６側板、第３前板、第７側板、第３後板および第８側板の下辺部分の形状と一致することにより、本体箱の展開図と蓋箱の展開図とを一枚の紙板から効率良く型抜きすることができると共に、本体箱と蓋箱とを組み合わせる場合に、互いに当接する部分が隙間なく整合するため、遮光性の高い包装箱を提供することができる。
【００３２】
さらに第１前板の上辺および／または第１後板の上辺が斜めに形成されていれば、本体箱の上端が斜めに形成されるようになるから、そこから収納物の上端部分の側面に指を掛けやすくなり収納物を取り出しやすくなる。
【００３３】
本発明の包装箱は、特に感光性フィルムなどの感光材料を収納するのに適している。例えば、一定枚数ごとにフィルム包装された感光材料を１個または複数個収納することができる。また、本発明の包装箱は、感光材料以外の材料の包装にも使用することが可能である。例えば、非感光性シート材料などを収納することもできる。
【００３４】
さらにまた本発明の包装箱では、第１〜第４フラップに加えて、内箱部を構成するいずれか１つの板の下辺に接続する遮光補助フラップが形成されているから、遮光補助フラップを最初に折り曲げた後に第１〜第４フラップを折り曲げて底面部を形成することにより、より底面部での遮光性が高い包装箱を提供することができる。
【００３５】
以上、本発明の包装箱を好ましい実施態様を参照しながら説明してきたが、本発明の包装箱は上記の好ましい実施態様によって限定的に解釈されるべきものではない。本発明の精神を逸脱しない範囲内において行われる設計変更、材料変更などの改変は、本発明を利用するものと解釈される。
【００３６】
（試験例）
本発明の包装箱の効果を説明するために、以下のような比較試験を行った。
図１〜１１に示す本発明の包装箱と図１３に示す従来の包装箱を用意し、各包装箱に感光材料（富士写真フイルム株式会社製ＩＳ１００）を直接充填して蓋をした。蓋箱天面から４００〜４５０ｌｕｘの光を４時間連続照射し、続けて本体箱底面から４００〜４５０ｌｕｘの光を４時間連続照射した。その後、包装箱中の感光材料を取り出して、露光状態を確認した。露光しているものは、感光材料の端部から斜めに筋状の露光線が認められた。本発明の包装箱については試験サンプル総数の５％にしか露光が認められず満足しうるレベルであったが、従来の包装箱については試験サンプル総数の８０％に露光が認められた。
【００３７】
【発明の効果】
本発明の包装箱は、作業性良く組み立てることができ、糊付け部分も比較的少ない。本発明によれば、本体箱の展開図と蓋箱の展開図とを一枚の紙板から効率良く型抜きすることができると共に、本体箱と蓋箱とを組み合わせる場合に、互いに当接する部分が隙間なく整合するため、遮光性の高い包装箱を提供することができる。また内箱部を構成するいずれか１つの板の下辺に接続する遮光補助フラップの存在により、より底面部での遮光性が高い包装箱を提供することができる。
【図面の簡単な説明】
【図１】本発明の包装箱に感光材を入れ、蓋箱を取った状態を示す斜視図である。
【図２】一枚の紙板から本体箱用の展開図と蓋箱用の展開図とを打ち抜く前の状態を示す正面図である。
【図３】本体箱用の展開図と蓋箱用の展開図とが打ち抜かれた状態を示す正面図である。
【図４】本体箱用の展開図と蓋箱用の展開図とが切り離された状態を示す正面図である。
【図５】本体箱用の展開図から内箱部が形成された状態を示す斜視図である。
【図６】（ａ）は、本体箱の内箱部と外箱部とが形成された状態を示す斜視図であり、（ｂ）は、本体箱の底面部まで形成され、本体箱が完成した状態を示す斜視図である。
【図７】蓋箱用の展開図かた蓋箱を形成する直前の様子を示す斜視図である。
【図８】（ａ）は、蓋箱の蓋本体部が形成された状態を示す斜視図であり、（ｂ）は、蓋箱の天面部まで形成され、蓋箱が完成した状態を示す斜視図である。
【図９】蓋箱を本体箱に被せた状態を示す透視斜視図である。
【図１０】本体箱を上方から見た断面図である。
【図１１】蓋箱を上方から見た断面図である。
【図１２】他の実施の形態に係る本発明の包装箱の本体箱用の展開図と蓋箱用の展開図とが切り離された状態を示す正面図である。
【図１３】従来の感光性フィルム用の包装箱を組立てる途中の状態を示す分解斜視図である。
【符号の説明】
１  包装箱
３  本体箱
５  蓋箱
７  内箱部
９  外箱部
１１  底面部
１３  蓋嵌合部
１５  蓋本体部
１７  天面部
１８  感光材の上端部分
１９  本体箱の展開図
２１  延長部
２３  蓋箱の展開図
２４  紙板
２５  接着剤
２７  破線
２９  ２つの展開図を分離する線
Ｆ  感光材
Ａ１、Ａ２  第１前板、第２前板
Ｂ１、Ｂ２  第１後板、第２後板
Ｃ１〜Ｃ８  第１〜第８側板
Ｆ１〜Ｆ８  第１〜第８フラップ
Ｆ９  遮光補助フラップ
Ｌ１〜Ｌ２２  第１〜第２２谷折れ線
【図１】
2004182285.tif 000003
【図２】
2004182285.tif 000004
【図３】
2004182285.tif 000005
【図４】
2004182285.tif 000006
【図５】
2004182285.tif 000007
【図６】
2004182285.tif 000008
【図７】
2004182285.tif 000009
【図８】
2004182285.tif 000010
【図９】
2004182285.tif 000011
【図１０】
2004182285.tif 000012
【図１１】
2004182285.tif 000013
【図１２】
2004182285.tif 000014
【図１３】
2004182285.tif 000015